(57)【要約】  【課題】  高コスト化及び大型化を招くことなく、複数の光源から同時に出射される複数のレーザビームのそれぞれの強度を適切に調整することができる光ピックアップを提供する。  【解決手段】  ＬＤ３７ａ、３７ｂから出射されたレーザビームＬ１、Ｌ２の一部を受光して受光した光量に比例するモニタ電圧を出力する１つのフロントモニタ２８と、ＬＤ３７ａ、３７ｂから出射されているレーザビームのいずれかの強度が異なっている第１〜第５の発光状態のそれぞれに応じてＳＨ信号を生成し、この複数のＳＨ信号のタイミングで前記モニタ電圧をサンプルホールドした複数のモニタ電圧を演算することにより、フロントモニタ２８で受光されたそれぞれのレーザビームの光量を求め、求めたそれぞれの光量に基づいて出射されるレーザビームの強度をそれぞれ所定の目標強度に調整するＬＰＣ部１４を備える。【選択図】      図８
2006179092.tif 000002
【特許請求の範囲】
【請求項１】
第１のレーザビームを出射する第１のレーザダイオードと、第２のレーザビームを出射
する第２のレーザダイオードと、第１のレーザダイオードから異なる強度のレーザビーム
が出射され第２のレーザダイオードから異なる強度のレーザビームが出射されるように第
１、第２のレーザダイオードを駆動する駆動部と、出射された第１、第２のレーザビーム
の一部を受光してその光量を検出する光量検出器と、該光量検出器の検出結果に基づいて
前記駆動部を制御して第１、第２のレーザビームから出射されるそれぞれのレーザビーム
の強度をそれぞれの所定の目標強度に調整するレーザパワー制御部とを備えた光ピックア
ップであって、
前記光量検出器は、
受光したレーザビームの光量に比例する光電流を発生する１つの光量検出素子と、
前記光電流を電圧に変換したモニタ電圧を出力する電流電圧変換回路と、
を有する１つの光量検出器であり、
前記レーザパワー制御部は、
第１、第２のレーザダイオードから出射されているレーザビームのいずれかの強度が異
なっている複数の発光状態のそれぞれに応じてサンプルホールド信号を生成するサンプル
ホールド信号生成部と、
前記サンプルホールド信号のタイミングで前記モニタ電圧をサンプルホールドするサン
プルホールド部と、
該サンプルホールド部でサンプルホールドされた前記複数の発光状態のそれぞれに対応
した複数のモニタ電圧を演算することにより、前記光量検出器で受光された第１、第２の
レーザビームのそれぞれの光量を求める演算部と、
前記演算部で求めた第１のレーザビームの光量に基づいて前記駆動部を制御することに
より第１のレーザダイオードから出射される第１のレーザビームの強度を第１のレーザビ
ームの所定の目標強度に調整し、前記演算部で求めた第２のレーザビームの光量に基づい
て前記駆動部を制御することにより第２のレーザダイオードから出射される第２のレーザ
ビームの強度を第２のレーザビームの所定の目標強度に調整するレーザパワー調整部と、
を有することを特徴とする光ピックアップ。
【請求項２】
請求項１に記載の光ピックアップを備えた光ディスク装置であって、
第１のレーザビームが照射されることにより電子情報の記録がなされ第２のレーザビー
ムが照射されることにより可視情報の記録がなされる光ディスクに対して、第１、第２の
レーザビームを前記光ディスクの電子情報の記録がなされる面側から照射することにより
電子情報の記録と可視情報の記録とを同時進行で行うようにしたことを特徴とする光ディ
スク装置。
【請求項３】
異なる波長のレーザビームを出射する複数の光源から出射されたレーザビームの一部を
受光してその光量を検出し、その検出結果に基づいて前記複数の光源から出射されるレー
ザビームの強度を所定の目標強度に調整する光ピックアップであって、
前記複数の光源から出射されたレーザビームの一部を受光して受光したレーザビームの
光量に比例するモニタ電圧を出力する１つの光量検出器と、
前記複数の光源から出射されているレーザビームのいずれかの強度が異なっている複数
の発光状態のそれぞれに応じてサンプルホールド信号を生成し、前記サンプルホールド信
号のタイミングで前記モニタ電圧をサンプルホールドし、サンプルホールドされた前記複
数の発光状態のそれぞれに対応した複数のモニタ電圧を演算することにより前記複数の光
源のそれぞれから出射され前記光量検出器で受光されたレーザビームのそれぞれの光量を
求め、求めたそれぞれの光量に基づいて前記複数の光源のそれぞれから出射されるレーザ
ビームの強度を前記所定の目標強度に調整するレーザパワー制御部と、
を備えたことを特徴とする光ピックアップ。
【請求項４】
異なる波長のレーザビームを出射する複数の光源と、前記複数の光源のそれぞれから少
なくとも２値の強度のレーザビームが出射されるように前記複数の光源を駆動する駆動部
と、前記複数の光源から出射されたレーザビームの一部を受光してその光量を検出する光
量検出器と、該光量検出器の検出結果に基づいて前記駆動部を制御して前記複数の光源の
それぞれから出射されるレーザビームのそれぞれの強度をそれぞれの所定の目標強度に調
整するレーザパワー制御部とを備えた光ピックアップであって、
前記光量検出器は、
受光したレーザビームの光量に比例する光電流を発生する１つの光量検出素子と、
前記光電流を電圧に変換したモニタ電圧を出力する電流電圧変換回路と、
を有する１つの光量検出器であり、
前記レーザパワー制御部は、
前記複数の光源から出射されているレーザビームのいずれかの強度が異なっている複数
の発光状態のそれぞれに応じてサンプルホールド信号を生成するサンプルホールド信号生
成部と、
前記サンプルホールド信号のタイミングで前記モニタ電圧をサンプルホールドするサン
プルホールド部と、
該サンプルホールド部でサンプルホールドされた前記複数の発光状態のそれぞれに対応
した複数のモニタ電圧を演算することにより前記複数の光源のそれぞれから出射され前記
光量検出器で受光されたレーザビームのそれぞれの光量を求める演算部と、
該演算部で求めた前記複数の光源のそれぞれから出射され前記光量検出器で受光された
レーザビームのそれぞれの光量に基づいて前記駆動部を制御して前記複数の光源のそれぞ
れから出射されるレーザビームのそれぞれの強度を前記それぞれの所定の目標強度に調整
するレーザパワー調整部と、
を有することを特徴とする光ピックアップ。
【請求項５】
請求項３または請求項４に記載の光ピックアップを備えた光ディスク装置であって、
前記複数の光源のうちの１つの光源から出射された第１のレーザビームが照射されるこ
とにより電子情報の記録がなされ前記複数の光源のうちの他の１つの光源から出射された
第２のレーザビームが照射されることにより可視情報の記録がなされる光ディスクに対し
て、第１、第２のレーザビームを前記光ディスクの電子情報の記録がなされる面側から照
射することにより電子情報の記録と可視情報の記録とを同時進行で行うようにしたことを
特徴とする光ディスク装置。
【発明の詳細な説明】
【技術分野】
【０００１】
本発明は、光ディスク等の光学式記録媒体に情報を記録したり、記録されている情報を
読み取る光ピックアップとそれを備えた光ディスク装置に関するものであり、特に、波長
の異なるレーザビームを出射する複数の光源を有する光ピックアップとそれを備えた光デ
ィスク装置に関するものである。
【背景技術】
【０００２】
従来から、ＣＤ（Compact Disk：コンパクトディスク）やＤＶＤ（Digital Versatile 
Disk：ディジタルバーサタイルディスク）等の光ディスクに対してレーザビームを照射す
ることにより、その光ディスクに記録されている音楽情報や動画情報等の電子情報を再生
したり、そのような電子情報をその光ディスクに記録したりできる光ディスク装置が提供
されている。
【０００３】
また、光ディスクに電子情報を記録した場合、その記録されている内容が外観で認識で
きれば便利であるため、ユーザは専用のプリンタ装置を用いて、その光ディスクに記録し
た内容を示す文字等（例えば、曲名や映画タイトル等）を円形のシートに印刷し、このシ
ートをその光ディスクの記録面と反対の面（以下、レーベル面という）に貼り付けるとい
うようなことを行っていた。
【０００４】
しかしながら、この方法では、ユーザは、専用のプリンタ装置を用意する必要や、その
専用プリンタ装置でのシートの印刷、印刷されたシートの光ディスクへの貼り付け等の煩
雑な作業を行う必要があった。
【０００５】
そこで、近年、再生時や記録時に光ディスクの記録面に照射されるレーザビームを光デ
ィスクのレーベル面となる所定領域に照射し、照射した部分の発色等を変化させることに
より、光ディスクの記録内容を可視的に認識するための可視情報（例えば、曲名や映画タ
イトル等を示す文字等からなる画像）を光ディスクのレーベル面に記録（以下、印刷とも
いう）できる光ディスク装置が提案されている（例えば、特許文献１〜３参照）。
【特許文献１】特開２００３−２０３３４８号公報
【特許文献２】特開２００４−２１３８０２号公報
【特許文献３】特開２００３−５１１１８号公報
【発明の開示】
【発明が解決しようとする課題】
【０００６】
しかしながら、特許文献１に記載の従来の光ディスク装置（光ディスク記録装置）の場
合、ユーザは依然として煩雑な作業を行う必要があった。即ち、ユーザは、電子情報の記
録を行う際には、光ディスクの記録面側にレーザビームが照射されるように光ディスクを
装着し、光ディスクに可視情報の記録を行う際には、光ディスクのレーベル面側にレーザ
ビームが照射されるように光ディスクを裏返して再装着するという煩雑な作業を行う必要
があった。また、電子情報の記録と可視情報の記録とは別々に行う必要があるので、両方
の記録を行うのに時間がかかるという問題もあった。
【０００７】
また、特許文献２に記載の従来の光ディスク装置は、照射される３つのレーザ光の焦点
が光ディスクの径方向となるように配列された前記３つのレーザ光を照射するレーザアレ
イを備えることにより可視情報（画像）の記録（形成）を高速で行うことができるように
しているが、やはり、電子情報の記録と可視情報の記録とは別々に行う必要があるので、
両方の記録を行うのに時間がかかるという問題があった。
【０００８】
また、特許文献３に記載の従来の光ディスク装置（記録装置）も、やはり、電子情報（
データ）の記録と可視情報（視覚イメージ）の記録とを別々に行う必要があるので、両方
の記録を行うのに時間がかかるという問題があった。
【０００９】
そこで、これらの問題を解決する光ディスク装置として、即ち、光ディスクを裏返して
装着するという煩雑な作業を行う必要がなく、レーザビームを照射することにより電子情
報の記録と可視情報の記録とを効率良く行う光ディスク装置として、電子情報を記録する
ためのレーザビームを出射する光源を複数有する光ピックアップを備え、その複数の光源
のうちの１つの光源を電子情報を記録するためのレーザビームを出射する光源とし、他の
１つを可視情報を記録するためのレーザビームを出射する光源とし、光ディスクの一方の
面から両方のレーザビームを照射して電子情報の記録と可視情報の記録とを同時進行で行
うようにした光ディスク装置が考えられる。
【００１０】
ところで、光ピックアップを用いて光ディスク等の光学式記録媒体に情報を記録したり
、記録されている情報を読み取る場合、出射されるレーザビームを光学式記録媒体上に結
像させ、情報を良好に記録したり読み取ったりするためには、出射されるレーザビームの
強度が適切であることが必要であるが、レーザビームを出射する光源では周囲温度の変化
や自らの発熱によって出力が変動するので、出射されるレーザビームの強度が変動してし
まうという現象がある。
【００１１】
そのため、一般的に、光ピックアップには、出射されるレーザビームの強度を光量検出
器によってモニタし、このモニタ結果に基づいて出力するレーザビームの強度を調整する
レーザパワーコントロール（ＬＰＣ）部が備えられている。
【００１２】
レーザビームを出射する光源を複数有する光ピックアップの場合であっても、それら複
数の光源からのレーザビームの出射が時分割で行われる場合であれば、光量検出器及びＬ
ＰＣ部は１つ設けるだけで良い。
【００１３】
しかしながら、上述した、電子情報を記録するためのレーザビームを出射する光源を複
数有する光ピックアップを備え、その複数の光源のうちの１つの光源を電子情報を記録す
るためのレーザビームを出射する光源とし、他の１つを可視情報を記録するためのレーザ
ビームを出射する光源とし、光ディスクの一方の面から両方のレーザビームを照射して電
子情報の記録と可視情報の記録とを同時進行で行うようにした光ディスク装置の場合、そ
の光ピックアップからは両方のレーザビームが同時に出射されることがあるので、光量検
出器及びＬＰＣ部はそれぞれの光源からのレーザビームに対応して少なくとも２つ設ける
必要があり、高コスト化を招くとともに、光ピックアップが大型化してしまい、光ディス
ク装置における光ピックアップの配置を困難にしてしまうという問題があった。
【００１４】
本発明は、上記の問題点を解決するためになされたもので、レーザビームを出射する複
数の光源を有する光ピックアップ及びそれを備えた光ディスク装置であって、高コスト化
及び大型化を招くことなく、それら複数の光源から同時に出射される複数のレーザビーム
のそれぞれの強度を適切に調整することができる光ピックアップ及びそれを備えた光ディ
スク装置を提供することを目的とする。
【課題を解決するための手段】
【００１５】
上記目的を達成するために、請求項１の発明は、第１のレーザビームを出射する第１の
レーザダイオードと、第２のレーザビームを出射する第２のレーザダイオードと、第１の
レーザダイオードから異なる強度のレーザビームが出射され第２のレーザダイオードから
異なる強度のレーザビームが出射されるように第１、第２のレーザダイオードを駆動する
駆動部と、出射された第１、第２のレーザビームの一部を受光してその光量を検出する光
量検出器と、該光量検出器の検出結果に基づいて前記駆動部を制御して第１、第２のレー
ザビームから出射されるそれぞれのレーザビームの強度をそれぞれの所定の目標強度に調
整するレーザパワー制御部とを備えた光ピックアップであって、前記光量検出器は、受光
したレーザビームの光量に比例する光電流を発生する１つの光量検出素子と、前記光電流
を電圧に変換したモニタ電圧を出力する電流電圧変換回路とを有する１つの光量検出器で
あり、前記レーザパワー制御部は、第１、第２のレーザダイオードから出射されているレ
ーザビームのいずれかの強度が異なっている複数の発光状態のそれぞれに応じてサンプル
ホールド信号を生成するサンプルホールド信号生成部と、前記サンプルホールド信号のタ
イミングで前記モニタ電圧をサンプルホールドするサンプルホールド部と、該サンプルホ
ールド部でサンプルホールドされた前記複数の発光状態のそれぞれに対応した複数のモニ
タ電圧を演算することにより、前記光量検出器で受光された第１、第２のレーザビームの
それぞれの光量を求める演算部と、前記演算部で求めた第１のレーザビームの光量に基づ
いて前記駆動部を制御することにより第１のレーザダイオードから出射される第１のレー
ザビームの強度を第１のレーザビームの所定の目標強度に調整し、前記演算部で求めた第
２のレーザビームの光量に基づいて前記駆動部を制御することにより第２のレーザダイオ
ードから出射される第２のレーザビームの強度を第２のレーザビームの所定の目標強度に
調整するレーザパワー調整部とを有することを特徴とする光ピックアップを提供する。
【００１６】
この構成によれば、第１、第２のレーザビームが同時に出射されている場合、前記光量
検出器からのモニタ電圧は、前記１つの光量検出素子が受光した第１のレーザビームの光
量に比例する電圧と第２のレーザビームの光量に比例する電圧とが重畳した電圧になる。
２つのレーザビームの光量が重畳されたこのモニタ電圧は、第１、第２のレーザダイオー
ドから出射されているレーザビームのいずれかの強度が異なっている複数の発光状態の数
だけ異なることになる。
【００１７】
そして、サンプルホールド信号生成部により、前記複数の発光状態のそれぞれに応じて
サンプルホールド信号が生成され、サンプルホールド部により前記サンプルホールド信号
のタイミングで前記モニタ電圧がサンプルホールドされる。即ち、前記複数の発光状態の
数だけ異なる複数のモニタ電圧がサンプルホールドされることになる。そして、演算部で
これらサンプルホールドされた複数のモニタ電圧を演算することにより、第１のレーザダ
イオードから出射され前記光量検出器に入射した第１のレーザビームの光量と第２のレー
ザダイオードから出射され前記光量検出器に入射した第２のレーザビームの光量とがそれ
ぞれ求められる。
【００１８】
そして、レーザパワー調整部により、演算部で求めた第１のレーザビームの光量と第２
のレーザビームの光量のそれぞれに基づいて前記駆動部が制御され、第１のレーザダイオ
ードから出射される第１のレーザビームの強度と第２のレーザダイオードから出射される
第２のレーザビームの強度とがそれぞれ所定の目標強度になるように調整される。
【００１９】
請求項２の発明は、請求項１に記載の光ピックアップを備えた光ディスク装置であって
、第１のレーザビームが照射されることにより電子情報の記録がなされ第２のレーザビー
ムが照射されることにより可視情報の記録がなされる光ディスクに対して、第１、第２の
レーザビームを前記光ディスクの電子情報の記録がなされる面側から照射することにより
電子情報の記録と可視情報の記録とを同時進行で行うようにしたことを特徴とする光ディ
スク装置を提供する。
【００２０】
この構成によれば、この光ディスク装置は、光ディスクを裏返して装着するという煩雑
な作業を行う必要がなく、レーザビームを照射することにより電子情報の記録と可視情報
の記録とを効率良く行うことができる。この場合、この光ディスク装置は第１、第２のレ
ーザビームを同時に出射することがあるが、前記光ピックアップは、１つの光量検出素子
を有する構成でありながら、第１、第２のレーザビームが同時に出射される場合であって
も第１、第２のレーザビームの強度をそれぞれ所定の目標強度に調整することができる。
従って、高コスト化、大型化を招くことがなく、また、光ピックアップの配置を容易にす
ることができる光ディスク装置が実現できる。
【００２１】
請求項３の発明は、異なる波長のレーザビームを出射する複数の光源から出射されたレ
ーザビームの一部を受光してその光量を検出し、その検出結果に基づいて前記複数の光源
から出射されるレーザビームの強度を所定の目標強度に調整する光ピックアップであって
、前記複数の光源から出射されたレーザビームの一部を受光して受光したレーザビームの
光量に比例するモニタ電圧を出力する１つの光量検出器と、前記複数の光源から出射され
ているレーザビームのいずれかの強度が異なっている複数の発光状態のそれぞれに応じて
サンプルホールド信号を生成し、前記サンプルホールド信号のタイミングで前記モニタ電
圧をサンプルホールドし、サンプルホールドされた前記複数の発光状態のそれぞれに対応
した複数のモニタ電圧を演算することにより前記複数の光源のそれぞれから出射され前記
光量検出器で受光されたレーザビームのそれぞれの光量を求め、求めたそれぞれの光量に
基づいて前記複数の光源のそれぞれから出射されるレーザビームの強度を前記所定の目標
強度に調整するレーザパワー制御部とを備えたことを特徴とする光ピックアップを提供す
る。
【００２２】
この構成によれば、前記複数の光源から複数のレーザビームが同時に出射されている場
合、前記１つの光量検出器からのモニタ電圧は、この１つの光量検出器が受光した複数の
レーザビームの光量に比例する電圧となる。複数のレーザビームの光量が重畳されたこの
モニタ電圧は、前記複数のレーザダイオードから出射されているレーザビームのいずれか
の強度が異なっている複数の発光状態の数だけ異なることになる。
【００２３】
そして、前記複数の発光状態のそれぞれに応じてサンプルホールド信号が生成され、こ
のサンプルホールド信号のタイミングで前記モニタ電圧がサンプルホールドされる。即ち
、前記複数の発光状態の数だけ異なる複数のモニタ電圧がサンプルホールドされることに
なる。そして、これらサンプルホールドされた複数のモニタ電圧を演算することにより、
前記複数の光源のそれぞれから出射され前記光量検出器で受光されたレーザビームのそれ
ぞれの光量が求められる。
【００２４】
そして、レーザパワー制御部により、求めた前記複数の光源のそれぞれから出射され前
記光量検出器で受光されたレーザビームのそれぞれの光量に基づいて前記複数の光源のそ
れぞれから出射されるレーザビームの強度が前記所定の目標強度に調整される。
【００２５】
請求項４の発明は、異なる波長のレーザビームを出射する複数の光源と、前記複数の光
源のそれぞれから少なくとも２値の強度のレーザビームが出射されるように前記複数の光
源を駆動する駆動部と、前記複数の光源から出射されたレーザビームの一部を受光してそ
の光量を検出する光量検出器と、該光量検出器の検出結果に基づいて前記駆動部を制御し
て前記複数の光源のそれぞれから出射されるレーザビームのそれぞれの強度をそれぞれの
所定の目標強度に調整するレーザパワー制御部とを備えた光ピックアップであって、前記
光量検出器は、受光したレーザビームの光量に比例する光電流を発生する１つの光量検出
素子と、前記光電流を電圧に変換したモニタ電圧を出力する電流電圧変換回路とを有する
１つの光量検出器であり、前記レーザパワー制御部は、前記複数の光源から出射されてい
るレーザビームのいずれかの強度が異なっている複数の発光状態のそれぞれに応じてサン
プルホールド信号を生成するサンプルホールド信号生成部と、前記サンプルホールド信号
のタイミングで前記モニタ電圧をサンプルホールドするサンプルホールド部と、該サンプ
ルホールド部でサンプルホールドされた前記複数の発光状態のそれぞれに対応した複数の
モニタ電圧を演算することにより前記複数の光源のそれぞれから出射され前記光量検出器
で受光されたレーザビームのそれぞれの光量を求める演算部と、該演算部で求めた前記複
数の光源のそれぞれから出射され前記光量検出器で受光されたレーザビームのそれぞれの
光量に基づいて前記駆動部を制御して前記複数の光源のそれぞれから出射されるレーザビ
ームのそれぞれの強度を前記それぞれの所定の目標強度に調整するレーザパワー調整部と
を有することを特徴とする光ピックアップを提供する。
【００２６】
この構成によれば、前記複数の光源から複数のレーザビームが同時に出射されている場
合、前記光量検出器からのモニタ電圧は、前記１つの光量検出素子が受光した複数のレー
ザビームの光量に比例する電圧となる。複数のレーザビームの光量が重畳されたこのモニ
タ電圧は、前記複数のレーザダイオードから出射されているレーザビームのいずれかの強
度が異なっている複数の発光状態の数だけ異なることになる。
【００２７】
そして、サンプルホールド信号生成部により、前記複数の発光状態のそれぞれに応じて
サンプルホールド信号が生成され、サンプルホールド信号により前記サンプルホールド信
号のタイミングで前記モニタ電圧がサンプルホールドされる。即ち、前記複数の発光状態
の数だけ異なる複数のモニタ電圧がサンプルホールドされることになる。そして、演算部
でこれらサンプルホールドされた複数のモニタ電圧を演算することにより、前記複数の光
源のそれぞれから出射され前記光量検出器で受光されたレーザビームのそれぞれの光量が
求められる。
【００２８】
そして、レーザパワー調整部により、演算部で求めた前記複数の光源のそれぞれから出
射され前記光量検出器で受光されたレーザビームのそれぞれの光量に基づいて前記複数の
光源のそれぞれから出射されるレーザビームの強度のそれぞれがそれぞれの所定の目標強
度に調整される。
【００２９】
請求項５の発明は、請求項３または請求項４に記載の光ピックアップを備えた光ディス
ク装置であって、前記複数の光源のうちの１つの光源から出射された第１のレーザビーム
が照射されることにより電子情報の記録がなされ前記複数の光源のうちの他の１つの光源
から出射された第２のレーザビームが照射されることにより可視情報の記録がなされる光
ディスクに対して、第１、第２のレーザビームを前記光ディスクの電子情報の記録がなさ
れる面側から照射することにより電子情報の記録と可視情報の記録とを同時進行で行うよ
うにしたことを特徴とする光ディスク装置を提供する。
【００３０】
この構成によれば、この光ディスク装置は、光ディスクを裏返して装着するという煩雑
な作業を行う必要がなく、レーザビームを照射することにより電子情報の記録と可視情報
の記録とを効率良く行うことができる。この場合、この光ディスク装置は複数のレーザビ
ームを同時に出射することがあるが、前記光ピックアップは、１つの光量検出素子を有す
る構成でありながら、複数のレーザビームが同時に出射される場合であっても複数のレー
ザビームの強度をそれぞれ所定の目標強度に調整することができる。従って、高コスト化
、大型化を招くことがなく、また、光ピックアップの配置を容易にすることができる光デ
ィスク装置が実現できる。
【００３１】
尚、本発明が適用される光ピックアップ及び光ディスク装置において、「可視情報」と
は、文字、記号、イラストや写真等の画像、幾何学的な模様など、目視で読み取ることが
可能な情報を意味し、「電子情報」とは、ディジタル記号で記録されている情報など、そ
の内容を何らかの再生装置で読み取る情報を意味する。
【発明の効果】
【００３２】
以上のように本発明によれば、１つの光量検出素子を有する構成でありながら、複数の
レーザビームが同時に出射される場合であっても複数のレーザビームの強度をそれぞれ所
定の目標強度に調整することができるので、レーザビームを出射する複数の光源を有する
光ピックアップであって、高コスト化及び大型化を招くことなく、それら複数の光源から
同時に出射される複数のレーザビームのそれぞれの強度を適切に調整することができる光
ピックアップが実現できる。
【００３３】
また、本発明によれば、前記光ピックアップを備えるとともに、複数の光源のうちの１
つの光源から出射された第１のレーザビームが照射されることにより電子情報の記録がな
され前記複数の光源のうちの他の１つの光源から出射された第２のレーザビームが照射さ
れることにより可視情報の記録がなされる光ディスクに対して、第１、第２のレーザビー
ムを前記光ディスクの電子情報の記録がなされる面側から照射することにより電子情報の
記録と可視情報の記録とを同時進行で行うことを可能とした光ディスク装置としたので、
高コスト化や大型化を招くことがなく、また、光ピックアップの配置が容易であり、さら
に、光ディスクを裏返して装着するという煩雑な作業を行う必要がなく、レーザビームを
照射することにより電子情報の記録と可視情報の記録とを効率良く行うことができる光デ
ィスク装置が実現できる。
【発明を実施するための最良の形態】
【００３４】
以下、添付図面を参照しつつ、本発明の実施形態について説明する。本実施形態に係る
光ディスク装置は、電子情報を記録するためのレーザビームを出射する光源と可視情報を
記録するためのレーザビームを出射する光源とを有する光ピックアップを備え、光ディス
クの一方の面から両方のレーザビームを照射して電子情報の記録と可視情報の記録とを同
時進行で行うようにした光ディスク装置である。
【００３５】
先ず、本実施形態に係る光ディスク装置が対象とする光ディスクの構成について説明し
、その後、その光ディスク装置とその光ディスク装置に搭載されている本実施形態に係る
光ピックアップの構成及び動作等について説明する。
【００３６】
図１は、本実施形態で想定した光ディスクの構造を示す側断面図である。ここでは、光
ディスクとして、ＣＤの再生及び／または記録機能を付随したＤＶＤの記録及び再生を行
う光ディスク装置を用いて、ＤＶＤ情報の記録及び再生が可能であるとともに、ＣＤにつ
いてのレーザビームを照射することによりレーベル印刷を行うことを可能にしたＤＶＤを
想定する。
【００３７】
図１に示すＤＶＤ５０は、その厚みＴが１．２ｍｍとされ、また、基板５１、情報記録
層となる記録色素膜５２、色フィルタ（二色性反射膜）５３、レーベル層となる可視光特
性変化層５５、及び、基板５４が、順に積層されて構成されている。尚、色フィルタ５３
と可視光特性変化層５５との間には、色フィルタ５３と可視光特性変化層５５とを貼り合
わせるための接着剤等から成る透明中間層５６が存在している。また、図１はＤＶＤ５０
の構造を模式的に示しており、各層の形状、寸法比率等はこの図に示される通りではない
。
【００３８】
これらの各層のうち、記録色素膜５２の上には螺旋状にグルーブ５２ａが形成されてお
り、ＤＶＤ５０に電子情報の記録をする際には、このグルーブ５２ａ上にレーザビームが
集光されるように制御（フォーカス制御）されるとともに、このグルーブ５２ａに沿って
レーザビームが照射されるように制御（トラッキング制御）され、グルーブ５２ａ上に記
録データ長に対応するピットが形成される。
【００３９】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている電子情報の再生が行われる。
【００４０】
基板５１、５４は、例えば、ポリカーボネイト樹脂から成る。
【００４１】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００４２】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００４３】
【化１】
2006179092.tif 000003
【００４４】
図２に、上記したようなシアニン色素の光学的特性として、当該シアニン色素の吸光度
及び屈折率を示す。
【００４５】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００４６】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００４７】
本実施の形態のＤＶＤ５０においてレーベル層となる可視光特性変化層５５は、所定の
帯域の光（例えば、波長７８０ｎｍの赤外光）を照射されることにより、照射された部位
のみ局部的に変色（または変形）する材料から成り、例えば、高分子膜から構成される。
高分子膜としては、例えば、感光材や感熱材等のように、光や熱を与えられることにより
色の変化（例えば、白色から黒等の有色への、または、透明から黒等の有色不透明への変
化）がある材料の層（感光層、感熱層等）など、所定のパワー以上の集光されたレーザビ
ームを照射されることによって、当該照射された箇所の基板５４からの可視光特性が変化
する材料から成る層が挙げられる。ここで言う可視光特性としては、視認される色につい
ての、色相、明度、及び、彩度や、吸光特性、反射率、透過率、光散乱等が考えられる。
【００４８】
また、可視光特性変化層を有する従来の光ディスクの場合、その可視光特性変化層には
、照射される所定の帯域の光（例えば、波長７８０ｎｍの赤外光）を案内するためのグル
ーブを形成する必要があったが、この可視光特性変化層５５には、そのようなグルーブを
形成する必要はない。従って、可視光特性変化層にグルーブを形成するための製造工程や
その工程で使用される金型等が不要となるので、ＤＶＤ５０の製造コストは従来のものよ
りも低減することになる。
【００４９】
ＤＶＤ５０は、上記のような各層を備えるよう製造されるのであれば、製造方法を問う
ものではないが、例えば、基板５１上に記録色素膜５２及び色フィルタ５３を蒸着させた
ものと、基板５４上に可視光特性変化層５５を蒸着させたものとを、色フィルタ５３側に
可視光特性変化層５５側を対抗させて透明中間層５６を構成する接着剤等で貼り合わせる
ことにより製造することができる。尚、透明中間層５６は透明であることが好ましい。
【００５０】
次に、上述したＤＶＤ５０に対して電子情報及び可視情報の記録（レーベル印刷）を行
うことのできる光ディスク装置を説明する。図３は、本実施形態に係る光ディスク装置の
構成を示すブロック図である。図３に示す光ディスク装置１００は、ＣＤの再生及び／ま
たは記録機能を付随したＤＶＤの再生及び記録を行う光ディスク装置である。
【００５１】
図３に示すように、光ディスク装置１００は、バックエンドであるパーソナルコンピュ
ータ（ＰＣ）１１０に接続されており、光ピックアップ１０、フロントエンドプロセッサ
（ＦＥＰ）１３、レーザパワーコントロール（ＬＰＣ）部１４、サーボ回路１５、モータ
駆動回路１６、制御部１７、ステッピングモータ１８、ドライバ１９、モータコントロー
ラ２０、スピンドルモータ２１を備えている。
【００５２】
スピンドルモータ２１は、記録再生の対象となるＤＶＤ５０を回転駆動するためのモー
タであり、モータ駆動回路１６によりその回転数が制御される。モータ駆動回路１６には
、制御部１７からの指示信号、及び、スピンドルモータ２１またはスピンドルモータ２１
に設けられたセンサ等からフィードバックされるスピンドルモータ２１の回転数に応じた
周波数のパルス信号が供給され、モータ駆動回路１６は、これらの供給される信号に基づ
いてスピンドルモータ２１の回転制御を行う。尚、スピンドルモータ２１の回転駆動方式
には、ＤＶＤ５０を角速度一定で回転駆動する方式（ＣＡＶ方式：Constant Angular Vel
ocity）や、一定の記録線速度となるようにＤＶＤ５０を回転駆動する方式（ＣＬＶ方式
：Constant Linear Velocity）があるが、いずれを用いるようにしてもよい。
【００５３】
光ピックアップ１０は、スピンドルモータ２１により回転駆動されるＤＶＤ５０に対し
てレーザビームＬ１、Ｌ２を照射するユニットであり、レーザビームＬ１、Ｌ２の発光は
制御部１７によって制御され、その発光強度はＬＰＣ部１４によって制御されている。こ
こで、レーザビームＬ１は、ＤＶＤの再生または記録用に使用される波長６６０ｎｍの赤
色光であり、レーザビームＬ２は、ＣＤの再生または記録用及びレーベル印刷用に使用さ
れる波長７８０ｎｍの赤外光である。光ピックアップ１０の構成については、その詳細を
後述する。
【００５４】
また、ステッピングモータ１８は、セットされたＤＶＤ５０の径方向に光ピックアップ
１０を移動させるためのモータである。モータドライバ１９は、モータコントローラ２０
から供給されるパルス信号に応じた量だけステッピングモータ１８を回転駆動する。モー
タコントローラ２０は、制御部１７から指示される光ピックアップ１０の径方向への移動
方向および移動量を含む移動開始指示にしたがって、移動量や移動方向に応じたパルス信
号を生成し、モータドライバ１９に出力する。即ち、ステッピングモータ１８が光ピック
アップ１０をＤＶＤ５０の径方向に移動させること、及び、スピンドルモータ２１がＤＶ
Ｄ５０を回転させることにより、光ピックアップ１０のレーザビーム照射位置をＤＶＤ５
０の様々な位置に移動させることができる。
【００５５】
また、制御部１７は、図示しないＣＰＵ（Central Processing Unit）、ＲＯＭ（Read 
Only Memory）、ＲＡＭ（Random Access Memory）、バッファメモリ等を備えており、Ｃ
ＰＵは、ＲＯＭに格納されたファームウェア（プログラム）にしたがって光ディスク１０
０の各部を制御し、ＤＶＤ５０に対する再生または記録のための各種処理、及び、レーベ
ル印刷のための各種処理を中枢的に制御している。尚、ＲＡＭは各種処理時のワークメモ
リとして使用される。
【００５６】
制御部１７のバッファメモリには、ＤＶＤ５０に記録する電子情報である音声データや
映像データ等や、ＤＶＤ５０に記録する可視情報である画像データがバックエンドである
ＰＣ１１０から送信され蓄積される。この画像データとは、円盤状の光ディスクの面上に
画像を形成するためのデータであり、光ディスクのレーベル面に形成する画像のビットマ
ップデータを極座標形式のデータに変換したものであり、光ディスクの中心点を中心とす
る多数の同心円上の複数の各座標点毎にその点の階調度（濃淡）を示す情報が記述されて
いるデータである。
【００５７】
そして、制御部１７は、このバッファメモリに蓄積された電子情報に基づいて光ピック
アップ１０からレーザビームＬ１を出射させ、同じく、バッファメモリに蓄積された画像
データに基づいて光ピックアップ１０からレーザビームＬ２を出射させるように制御する
。また、このとき、ＬＰＣ部１４にレーザビームＬ１、Ｌ２の発光強度設定を行い、出射
されるレーザビームＬ１、Ｌ２の強度が決定される。これにより、ＤＶＤ５０の記録色素
膜５２の所定の強度のレーザビームＬ１が照射された部分に電子情報が記録され、可視光
特性変化層５５の所定の強度のレーザビームＬ２が照射された部分に画像が形成される。
【００５８】
サーボ回路１５は、後述するトラッキング制御、フォーカス制御を行う回路である。Ｆ
ＥＰ１３は、再生時にＤＶＤ５０の記録色素膜５２から読み出された変調が施されている
電子情報を音楽データ等の各種データに復調してバックエンドであるＰＣ１１０へ送信す
るものである。そして、ＰＣ１１０の各種再生手段（不図示）でその復調されたデータが
再生される。
【００５９】
次に、図４を参照して光ピックアップ１０の構成を説明する。図４に示すように、光ピ
ックアップ１０は、レーザビームＬ１を出射するレーザダイオード（ＬＤ）３７ａと、レ
ーザビームＬ２を出射するレーザダイオード（ＬＤ）３７ｂと、ＬＤ３７ａ、３７ｂを駆
動するレーザダイオードドライバ（ＬＤＤ）１１と、レーザビームＬ１、Ｌ２をＤＶＤ５
０（記録色素膜５２や可視光特性変化層５５）に集光させるための光学系４０と、ＬＤ３
７ａ、３７ｂから出射されるレーザビームＬ１、Ｌ２の強度をモニタするフロントモニタ
２８と、ＤＶＤ５０からの反射光を受光する受光素子３６と、受光素子３６からの受光信
号を増幅するヘッドアンプ（ＨＡ）１２とを備えている。
【００６０】
ＬＤＤ１１は、制御部１７からの電子情報記録信号に従ってＬＤ３７ａを駆動し、制御
部１７からの画像データ記録信号に従ってＬＤ３７ｂを駆動する。電子情報記録信号とは
、制御部１７のバッファメモリに蓄積された電子情報に所定の信号処理や変調を加えＤＶ
Ｄ５０の記録層に記録すべき情報に変換した信号である。この電子情報記録信号の波形と
しては、記録マークが記録色素膜５２の蓄熱の影響で涙滴型になるのを回避するためにマ
ルチパルス記録波形が用いられている。また、画像データ記録信号とは、制御部１７のバ
ッファメモリに蓄積された画像データに所定の信号処理や変調を加えＤＶＤ５０のレーベ
ル層に記録すべき情報に変換した信号である。
【００６１】
ＬＤ３７ａは、ＬＤＤ１１ａから駆動電流が供給されると、その駆動電流に応じた強度
のレーザビームＬ１を出射する。この駆動電流の大きさは、制御部１７によって設定され
た発光強度の目標値と一致する値の強度のレーザビームＬ１がＬＤ３７ａから出射される
ようにＬＰＣ部１４によって制御されている。ここで行われるＬＰＣ部１４による発光強
度制御は、フロントモニタ２８から供給されるモニタ電圧を用い、目標となる強度のレー
ザビームＬ１がＬＤ３７ａから照射されるように制御するフィードバック制御である。フ
ロントモニタ２８には、ＬＤ３７ａから出射されたレーザビームＬ１の一部が立ち上げミ
ラー２９で分光されて入射し、フロントモニタ２８はこの入射したレーザビームＬ１の光
量に応じたモニタ電圧を出力する。
【００６２】
尚、ＤＶＤ５０の記録面に電子情報を記録する際に制御部１７によって設定されるＬＤ
３７ａの発光強度の目標値は、再生強度と記録強度の２値をとる。再生強度とは、電子情
報（ピット）の読み取りや、後述するサーボ回路１５によるフォーカス制御及びトラッキ
ング制御のために必要な反射光が得られる発光強度を言い、この再生強度のレーザビーム
では、ＤＶＤ５０の記録色素膜５２に記録されている電子情報を読み取ることはできるが
、記録色素膜５２への電子情報の記録を行うことはできない。一方、記録強度とは、記録
色素膜５２に電子情報（ピット）を書き込む発光強度を言う。また、本実施例の場合、設
定されるＬＤ３７ａの発光強度の目標値は上記２値をとるが、設定されるＬＤ３７ａの発
光強度の目標値は必ずしも２値に限定されるものではなく、さらに多くの値をとるように
しても良い。
【００６３】
そして、ＬＤ３７ａより出射されたレーザビームＬ１は回折格子３８ａにより主ビーム
と２つの副ビーム（先行ビーム、後行ビーム）に分離され、これら３つのレーザビームＬ
１は偏光ビームスプリッタ３９ａ、３９ｂ、立ち上げミラー２９、コリメータレンズ３０
、１／４波長板３１、対物レンズ３２を経て、図５に示すように、ＤＶＤ５０の記録面で
ある記録色素膜５２に集光される。
【００６４】
このレーザビームＬ１は、ＤＶＤ５０の色フィルタ５３において反射されるので、記録
色素膜５２に対する情報の再生または記録のために照射されるレーザビームＬ１が、可視
光特性変化層５５に対して、画像形成として意図しない画像を形成してしまうなどの悪影
響を及ぼすことを回避することができる。
【００６５】
そして、ＤＶＤ５０の色フィルタ５３で反射された３つのレーザビームＬ１は、再び、
対物レンズ３２、１／４波長板３１、コリメータレンズ３０、立ち上げミラー２９、偏光
ビームスプリッタ３９ｂを透過し、偏向ビームスプリッタ３９ａで反射されて、シリンド
リカルレンズ３３を経て、受光素子３６に入射するようになっている。
【００６６】
そして、受光素子３６は、受光した信号をヘッドアンプ１２に出力し、該受光信号がヘ
ッドアンプ１２で増幅されて図３に示すＦＥＰ１３やサーボ回路１５に供給されるように
なっている。
【００６７】
また、サーボ回路１５には、この受光信号に含まれる、トラッキング制御に使用される
グルーブ５２ａの位置情報や、フォーカス制御に使用される記録色素膜５２に集光してい
るレーザビームＬ１の焦点に関する情報（焦点情報）が供給されることになる。このトラ
ッキング制御、フォーカス制御については詳細を後述する。
【００６８】
一方、ＬＤ３７ｂは、ＬＤＤ１１ｂから駆動電流が供給されると、その駆動電流に応じ
た強度のレーザビームＬ２を出射する。この駆動電流の大きさは、制御部１７によって設
定された発光強度の目標値と一致する値の強度のレーザビームＬ２１がＬＤ３７ｂから出
射されるようにＬＰＣ部１４によって制御されている。ここで行われるＬＰＣ部１４によ
る発光強度制御は、フロントモニタ２８から供給されるモニタ電圧を用い、目標となる強
度のレーザビームＬ２がＬＤ３７ｂから照射されるように制御するフィードバック制御で
ある。フロントモニタ２８には、ＬＤ３７ｂから出射されたレーザビームＬ２の一部が立
ち上げミラー２９で分光されて入射し、フロントモニタ２８はこの入射したレーザビーム
Ｌ２の光量に応じたモニタ電圧を出力する。
【００６９】
尚、ＤＶＤ５０のレーベル面に可視情報を記録する際に、制御部１７によって設定され
るＬＤ３７ｂの発光強度の目標値は、スペース強度とマーク強度の２値をとる。スペース
強度とはＤＶＤ５０の可視光特性変化層５５を変色（変形）させない発光強度を言い、マ
ーク強度とは可視光特性変化層５５を変色（変形）させる発光強度を言う。また、本実施
例の場合、設定されるＬＤ３７ｂの発光強度の目標値は上記２値をとるが、設定されるＬ
Ｄ３７ｂの発光強度の目標値は必ずしも２値に限定されるものではなく、さらに多くの値
をとるようにしても良い。
【００７０】
そして、ＬＤ３７ｂより出射されたレーザビームＬ２は回折格子３８ｂにより主ビーム
と２つの副ビーム（先行ビーム、後行ビーム）に分離され、これら３つのレーザビームＬ
２は偏光ビームスプリッタ３９ｂ、立ち上げミラー２９、コリメータレンズ３０、１／４
波長板３１、対物レンズ３２を経て、図５に示すように、ＤＶＤ５０のレーベル面である
可視光特性変化層５５に集光される。尚、対物レンズ３２にはホログラムが形成されてお
り、入射するレーザビームの波長の違いによりレーザビームＬ１、Ｌ２のスポット位置が
異なるようになっている。
【００７１】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、サーボ回路１５から供給されるフォーカスエラー（ＦＥ）信号及びトラ
ッキングエラー（ＴＥ）信号に応じて対物レンズ３２を光軸方向および径方向に移動させ
る。
【００７２】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００７３】
ここで、光ピックアップ１０から出射されＤＶＤ５０に照射される上述した３つのレー
ザビームＬ１は、主ビームのスポット中心がＤＶＤ５０の１つのグルーブ５２ａ（図１参
照）の中心に位置したときに、一方の副ビームのスポットがそのグルーブ５２ａの内側面
に、他方の副ビームのスポットがそのグルーブ５２ａの外側面にそれぞれかかるような位
置関係にある。
【００７４】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａの中心に対して内側／外側のどちら側にどれだけズレ
ているのか、即ち、トラッキングエラー量を知ることができる。そして、サーボ回路１５
は、そのトラッキングエラー量をゼロにするためのＴＥ信号を生成し、そのＴＥ信号でト
ラッキングアクチュエータ３５を制御することで、ＤＶＤ５０が偏心回転しても、主ビー
ムを目標とするグルーブ５２ａの中心に正確にトレースさせることができる（トラッキン
グ制御）。尚、このトラッキング制御は、上述した３ビーム方式以外に、位相差方式（１
ビームトラッキング方式）で行うようにしても良い。
【００７５】
また、受光素子３６は、図６に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００７６】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上に正確に合わせることができる（フォーカス制御）。
【００７７】
次に、このような構成の光ディスク装置１００のＤＶＤ５０への電子情報及び可視情報
の記録動作を、図７に示すフローチャートを参照して説明する。
【００７８】
先ず、光ディスク装置１００にＤＶＤ５０がセットされ、ユーザがＰＣ１１０を操作す
ることにより、セットしたＤＶＤ５０への電子情報及び可視情報の記録開始指示がＰＣ１
１０から制御部１７へ与えられる（ステップＳ１）。このとき、ＤＶＤ５０の記録色素層
５２に記録する電子情報である例えば映像音声データと、可視光特性変化層５５に記録す
る可視情報である画像の画像データとがＰＣ１１０から制御部１７へ与えられ、制御部１
７は、これらの与えられたデータを制御部１７内のバッファメモリに蓄積する。
【００７９】
次に、制御部１７は、モータ駆動回路１６を制御して、スピンドルモータ２１によりＤ
ＶＤ５０を所定速度で回転させるとともに、光ピックアップ１０の位置（ＤＶＤ５０に対
する径方向の位置）を初期化する。即ち、モータコントローラ２０に移動指示信号を与え
て、ドライバ１９によりステッピングモータ１８を回転させ、光ピックアップ１０をＤＶ
Ｄ５０の径方向の最内周側の初期位置に移動させる（ステップＳ２）。
【００８０】
次に、制御部１７は、再生強度のレーザビームＬ１がＤＶＤ５０へ照射されるようにＬ
ＰＣ部１４、ＬＤＤ１１を制御する（ステップＳ３）。そして、これ以後、レーザビーム
Ｌ１が照射されているときには、照射されたレーザビームＬ１のＤＶＤ５０の色フィルタ
５３からの反射光の信号であるヘッドアンプ１２からの受光信号に基づいて、上述したサ
ーボ回路１５によるフォーカス制御及びトラッキング制御が行われる。
【００８１】
次に、制御部１７は、モータコントローラ２０に移動開始指示を与え、バッファメモリ
に蓄積されている映像音声データ及び画像データに基づいて電子情報記録及び画像形成の
ためにレーザ照射を行う位置へ光ピックアップ１０を移動させつつ（ステップＳ４）、バ
ッファメモリに蓄積されている映像音声データを変換した電子情報記録信号に基づいてＬ
ＰＣ部１４を制御し、ＬＤ３７ａから照射されているレーザビームＬ１の発光強度をその
電子情報記録信号に基づいて再生強度と記録強度とに切り替える。これにより、記録色素
膜５２への映像音声データの記録がなされる。
【００８２】
また、このとき、制御部１７は、バッファメモリに蓄積されている画像データを変換し
た画像データ記録信号に基づいてＬＤＤ１１、ＬＰＣ部１４を制御し、ＬＤ３７ｂからレ
ーザビームＬ２を照射させるとともに、ＬＤ３７ｂから照射されるレーザビームＬ２の発
光強度をその画像データ記録信号に基づいてスペース強度とマーク強度とに切り替える。
これにより、可視光特性変化層５５への画像データの記録がなされる。即ち、可視光特性
変化層５５に画像が形成される（ステップＳ５）。
【００８３】
尚、このとき、ＤＶＤ５０の可視光特性変化層５５上に照射されるレーザビームＬ２は
、同時に照射されているレーザビームＬ１の反射光に基づいて対物レンズ３２がサーボ回
路１５によりフォーカス制御及びトラッキング制御されているので、可視光特性変化層５
５上の画像データを形成すべき座標点に正確に位置合わせ及びピント調整されている。
【００８４】
即ち、ＤＶＤ５０の可視光特性変化層５５には、フォーカス制御及びトラッキング制御
のためのグルーブが設けられておらず、また、画像形成のために照射するレーザビームＬ
２に関しては、その反射光に基づくフォーカス制御及びトラッキング制御を行うことなく
、可視光特性変化層５５上の所望の位置に正確にレーザビームＬ２が照射される。これに
より、ＤＶＤ５０のレーベル面に所望の画像を正確に形成することができる。
【００８５】
また、このとき、照射されるレーザビームＬ１、Ｌ２の発光強度は、ＬＰＣ部１４によ
って、目標となる強度のレーザビームＬ１、Ｌ２がＬＤ３７ａ、３７ｂから照射されるよ
うにフロントモニタ２８から供給されるモニタ電圧を用いてそれぞれフィードバック制御
されているが、レーザビームＬ１、Ｌ２が同時に発光した場合には、フロントモニタ２８
から供給されるモニタ電圧には、フロントモニタ２８で受光したレーザビームＬ１、Ｌ２
の両方の光量が重畳されていることになる。
【００８６】
そこで、ＬＰＣ部１４は以下に説明するようにして、フロントモニタ２８から供給され
るモニタ電圧からレーザビームＬ１の２つの発光強度に基づくそれぞれのモニタ電圧、及
び、レーザビームＬ２の２つの発光強度に基づくそれぞれのモニタ電圧を演算により求め
、求めたそれぞれのモニタ電圧に基づいてレーザビームＬ１、Ｌ２の発光強度制御をそれ
ぞれ行うようにしている。
【００８７】
以下に、レーザビームＬ１、Ｌ２の発光強度を制御する制御系（レーザパワー制御系）
の構成とその動作を図８及び図９を参照して説明する。図８は、ディスク装置１００にお
けるレーザパワー制御系の構成を示すブロック図であり、図３及び図４と同じ部分には同
じ符号を付している。図９は、図８に示すレーザパワー制御系における各部の信号波形を
示す波形図である。
【００８８】
上述したように、ＬＤＤ１１は、制御部１７から与えられる電子情報記録信号、画像デ
ータ記録信号に応じてＬＤ３７ａ、３７ｂを駆動し、ＬＤ３７ａ、３７ｂからレーザビー
ムＬ１、Ｌ２が出射される。図９（ａ）にＬＤ３７ａを駆動する駆動信号、図９（ｂ）に
ＬＤ３７ｂを駆動する駆動信号を示す。尚、ＬＤ３７ａの駆動信号は、記録マークが記録
色素膜５２の蓄熱の影響で涙滴型になるのを回避するためにマルチパルス波形となってお
り、マーク記録時には平均強度であるＰLD1_AVEのレーザビームＬ１が記録強度のレーザ
ビームＬ１として記録色素膜５２に与えられることになる。
【００８９】
図９（ａ）に示すようにレーザビームＬ１の発光強度は、記録強度ＰLD1_aveとスペー
ス強度ＰLD1_space（再生強度）の２値をとり、図９（ｂ）に示すようにレーザビームＬ
２の発光強度は、ピーク強度ＰLD2_peak（マーク強度）とスペース強度ＰLD2_spaceの２
値をとる。
【００９０】
そして、ＬＤ３７ａ、３７ｂから出射されたレーザビームＬ１、Ｌ２の一部は、上述し
た光学系を経てフロントモニタ２８内のフォトダイオード２８ａに入射し、フォトダイオ
ード２８ａには入射したレーザビームＬ１、Ｌ２の光量に応じた光電流が発生する。そし
て、発生した光電流は、アンプ２８ｂと帰還抵抗２８ｃによりＩ／Ｖ（電流／電圧）変換
処理されモニタ電圧（図９（ｃ））として出力される。尚、モニタ電圧の波形は、フォト
ダイオード２８ａなどの応答遅れの影響により鈍った波形となっている。
【００９１】
そして、このモニタ電圧は、ＬＰＣ部１４内のサンプルホールド部１４ｄに与えられ、
サンプルホールド部１４ｄは、サンプルホールド信号（ＳＨ信号）生成部１４ｅから与え
られるＳＨ信号のタイミングでモニタ電圧の平均値をサンプルホールドする。このＳＨ信
号には、ＳＨ信号１〜５（図９（ｄ）〜図９（ｈ））の５種類が有り、ＳＨ信号生成部１
４ｅは、ＬＤ３７ａ、３７ｂを発光させるためにＬＤＤ１１が駆動される信号、即ち、Ｌ
Ｄ３７ａ、３７ｂの発光状態に応じてＳＨ信号１〜５を出力するように制御部１７によっ
て制御される。
【００９２】
本例では、スペース強度ＰLD1_spaceのレーザビームＬ１が出射されレーザビームＬ２
が出射されていない第１の発光状態のときにＳＨ信号１（図９（ｄ））が出力され、記録
強度ＰLD1_aveのレーザビームＬ１が出射されピーク強度ＰLD2_peakのレーザビームＬ２
が出射される第２の発光状態のときにＳＨ信号２（図９（ｅ））が出力される。
【００９３】
また、スペース強度ＰLD1_spaceのレーザビームＬ１が出射されピーク強度ＰLD2_peak
のレーザビームＬ２が出射される第３の発光状態のときにＳＨ信号３（図９（ｆ））が出
力され、記録強度ＰLD1_aveのレーザビームＬ１が出射されスペース強度ＰLD2_spaceのレ
ーザビームＬ２が出射される第４の発光状態のときにＳＨ信号４（図９（ｇ））が出力さ
れ、スペース強度ＰLD1_spaceのレーザビームＬ１が出射されスペース強度ＰLD2_spaceの
レーザビームＬ２が出射される第５の発光状態のときにＳＨ信号５（図９（ｈ））が出力
される。
【００９４】
尚、制御部１７は、上記の第１〜第５の発光状態になった後、フォトダイオード２８ａ
の応答遅れの影響などのレーザパワー制御系の遅れ時間などが考慮された所定時間後にＳ
Ｈ信号が出力されるようにＳＨ信号生成部１４ｅを制御する。
【００９５】
そして、サンプルホールド部１４ｄは、ＳＨ信号１が与えられたときに電圧Ｖｍ０を、
ＳＨ信号２が与えられたときに電圧Ｖｍ１を、ＳＨ信号３が与えられたときに電圧Ｖｍ２
を、ＳＨ信号４が与えられたときに電圧Ｖｍ３を、ＳＨ信号５が与えられたときに電圧Ｖ
ｍ４をそれぞれサンプルホールドする。電圧Ｖｍ０〜Ｖｍ４はそれぞれ、そのときのモニ
タ電圧の平均値であり、それぞれ以下に示すように表すことができる。
【００９６】
Ｖｍ０＝Ｋ１×ＰLD1_space
Ｖｍ１＝Ｋ１×ＰLD1_ave＋Ｋ２×ＰLD2_peak
Ｖｍ２＝Ｋ１×ＰLD1_space＋Ｋ２×ＰLD2_peak
Ｖｍ３＝Ｋ１×ＰLD1_ave＋Ｋ２×ＰLD2_space
Ｖｍ４＝Ｋ１×ＰLD1_space＋Ｋ２×ＰLD2_space
ここで、Ｋ１は、フォトダイオード２８ａのレーザビームＬ１における検出効率（光電
変換効率）に基づく定数であり、Ｋ２は、フォトダイオード２８ａのレーザビームＬ２に
おける検出効率（光電変換効率）に基づく定数である。
【００９７】
そして、サンプルホールド部１４ｄでサンプルホールドされた電圧Ｖｍ０〜Ｖｍ４は、
Ａ／Ｄ（アナログ／ディジタル）変換部１４ｃでディジタル値に変換され、演算部１４ｂ
に供給される。尚、Ａ／Ｄ変換部１４ｃをサンプルホールド部１４ｄとフロントモニタ２
８との間に設け、サンプルホールド部１４ｄがＡ／Ｄ変換されたモニタ電圧をサンプルホ
ールドするようにしても良い。
【００９８】
演算部１４ｂは、ディジタル値に変換された電圧Ｖｍ０〜Ｖｍ４を用いて以下に示す演
算を行い、レーザビームＬ１の２つの発光強度であるスペース強度ＰLD1_spaceと記録強
度ＰLD1_ave、及び、レーザビームＬ２の２つの発光強度であるスペース強度ＰLD2_space
とピーク強度ＰLD2_peakを得る。
【００９９】
ＰLD1_space＝１／Ｋ１×Ｖｍ０
ＰLD1_ave＝１／Ｋ１×（Ｖｍ１−Ｖｍ２＋Ｖｍ０）
ＰLD2_peak＝１／Ｋ２×（Ｖｍ２−Ｖｍ０）
ＰLD2_space＝１／Ｋ２×（Ｖｍ４−Ｖｍ０）
演算部１４ｂで求められた上記のレーザビームＬ１の２つの発光強度であるスペース強
度ＰLD1_spaceと記録強度ＰLD1_ave、及び、レーザビームＬ２の２つの発光強度であるス
ペース強度ＰLD2_spaceとピーク強度ＰLD2_peakのモニタ強度はレーザパワー調整部１４
ａに供給され、レーザパワー調整部１４ａは、それらのレーザビームが出射されていると
きに、それらのモニタ強度が制御部１７から設定されているそれらの所定の目標強度にな
るようにＬＤＤ１１を調整する。
【０１００】
このようにして、目標となる強度のレーザビームＬ１、Ｌ２がＬＤ３７ａ、３７ｂから
照射されるように、フロントモニタ２８から供給されるモニタ電圧を用いてそれぞれフィ
ードバック制御される。即ち、１つのフォトダイオード２８ａしか有さない１つのフロン
トモニタ２８でありながら、レーザビームＬ１、Ｌ２が同時に出射される場合であっても
、それぞれ目標となる強度のレーザビームＬ１、Ｌ２が照射されるようにフィードバック
制御することができる。
【０１０１】
そして、図７のフローチャートに戻り、このようにして映像音声データ及び画像データ
の記録を行っていき（ステップＳ５）、制御部１７は、バッファメモリに蓄積されている
映像音声データ及び画像データのすべてに対するレーザビームＬ１、Ｌ２の照射による記
録処理を行ったか否か、即ち、記録すべき映像音声データをすべて記録し終え、且つ、形
成すべき画像をすべて形成し終えたか否かを判別し（ステップＳ６）、まだ、記録し終え
ていないか、または、形成し終えていないと判別したときは、ステップＳ４に戻り、映像
音声データの記録及び／または画像形成を継続する。
【０１０２】
一方、記録すべき映像音声データを記録し終え、且つ、形成すべき画像を形成し終えた
と判別したときは（ステップＳ６）、ＬＤＤ１１に停止指示信号を与え、光ピックアップ
１０からのレーザビームＬ１、Ｌ２の照射を停止するとともに、モータ駆動回路１６を制
御してモータ２１によるＤＶＤ５０の回転を停止させる（ステップＳ７）。以上で、電子
情報及び可視情報の記録動作が終了する。
【０１０３】
このように、光ディスク装置１００によれば、ユーザは、ＤＶＤ５０の記録面を光ピッ
クアップ１０に対向させるようにして光ディスク装置１００に一度セットすれば、従来の
装置と同様にしてＤＶＤ５０の記録面である記録色素膜５２に電子情報の記録をするだけ
でなく、レーベル面である可視光特性変化層５５に可視画像を形成することができる。こ
のためユーザは、専用のプリンタ装置を用意する必要はなく、情報が記録されているＤＶ
Ｄに別途印刷したラベルシートを貼ったり、或いは、レーベル印刷を行うためにＤＶＤ５
０を裏返して再度セットしたりするような煩雑な作業をする必要がなくなる。
【０１０４】
また、本実施形態に示す光ディスク装置１００は、ＤＶＤ５０への情報記録とレーベル
印刷とを同時進行で行うので、ＤＶＤ５０に情報記録及びレーベル印刷を行うために要す
る時間を短縮することができる。即ち、光ディスクのレーベル面に可視画像を効率良く印
刷することができる。
【０１０５】
また、そのようにＤＶＤ５０への情報記録とレーベル印刷とを同時進行で行うと、レー
ザビームＬ１、Ｌ２が同時に出射されることもあるが、そのような場合であっても、本実
施形態に示す光ピックアップ１０は、１つのフォトダイオード２８ａしか有さない１つの
フロントモニタ２８を用いて、それぞれ目標となる強度のレーザビームＬ１、Ｌ２が照射
されるようにフィードバック制御することができるので、光ピックアップ１０が大型化し
たり、高コスト化したりすることが防止できる。また、光ピックアップが大型化すること
がないので、光ディスク装置における配置が容易となる。
【０１０６】
また、以上説明した本実施の形態に示すＤＶＤ５０では、ＤＶＤ用の光源（６３０ｎｍ
〜６９０ｎｍ帯域の光源）で電子情報を再生または記録し、ＣＤ用光源（７７０ｎｍ〜８
００ｎｍ帯域の光源）でレーベル印刷を行う実施例を示したが、本発明は、上記を逆にし
た、ＤＶＤ用の光源でレーベル印刷を行い、ＣＤ用光源で電子情報を再生または記録する
例や、他の例にも適用することが可能である。具体的には、例えば、次世代ＤＶＤの光源
である４０５ｎｍ帯域のレーザ光源を用いて光ディスクに情報を記録し、そして、ＤＶＤ
用の光源でレーベル印刷を行うような例についても、本発明は適用可能である。
【０１０７】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１０８】
【図１】本発明の一実施形態の光ディスク装置が対象とする光ディスクの一例であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態の光ディスク装置の構成を示すブロック図である。
【図４】図３に示す本発明の一実施形態の光ピックアップの構成を示す図である。
【図５】図４に示す光ピックアップから出射されるレーザビームの光路を説明するための図である。
【図６】図４に示す受光素子の構成を示す図である。
【図７】図３に示す光ディスク装置によるＤＶＤへの電子情報記録動作及びレーベル印刷動作を説明するためのフローチャートである。
【図８】図３に示す光ディスク装置におけるレーザパワー制御系の構成を示すブロック図である。
【図９】図８に示すレーザパワー制御系における各部の信号波形を示す波形図である。
【符号の説明】
【０１０９】
１０    光ピックアップ
１１    レーザダイオードドライバ（ＬＤＤ、駆動部）
１２    ヘッドアンプ（ＨＡ）
１３    フロントエンドプロセッサ（ＦＥＰ）
１４    レーザパワーコントロール部（ＬＰＣ部、レーザパワー制御部）
１４ａ    レーザパワー調整部
１４ｂ    演算部
１４ｃ    Ａ／Ｄ変換部
１４ｄ    サンプルホールド部
１４ｅ    ＳＨ信号生成部（サンプルホールド信号生成部）
１５    サーボ回路
１６    モータ駆動回路
１７    制御部
１８    ステッピングモータ
１９    ドライバ
２０    モータコントローラ
２１    スピンドルモータ
２８    フロントモニタ（光量検出器）
２８ａ    フォトダイオード（光量検出素子）
２８ｂ    アンプ（電流電圧変換回路）
２８ｃ    帰還抵抗（電流電圧変換回路）
２９    立ち上げミラー
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７ａ    レーザダイオード（ＬＤ、光源、第１のレーザダイオード）
３７ｂ    レーザダイオード（ＬＤ、光源、第２のレーザダイオード）
３８ａ、３８ｂ    回折格子
３９ａ、３９ｂ    偏光ビームスプリッタ
４０    光学系
５０    ＤＶＤ（光ディスク）
５１、５４    基板
５２    色素記録膜（記録面）
５２ａ    グルーブ
５３    色フィルタ
５５    可視光特性変化層（レーベル面）
５６    透明中間層
１００    光ディスク装置
１１０    パーソナルコンピュータ（ＰＣ）
Ｌ１    レーザビーム（第１のレーザビーム）
Ｌ２    レーザビーム（第２のレーザビーム）
【図１】
2006179092.tif 000004
【図２】
2006179092.tif 000005
【図３】
2006179092.tif 000006
【図４】
2006179092.tif 000007
【図５】
2006179092.tif 000008
【図６】
2006179092.tif 000009
【図７】
2006179092.tif 000010
【図８】
2006179092.tif 000011
【図９】
2006179092.tif 000012